(57)【要約】【課題】従来から車軸耕耘作業機の耕耘装置に設ける推進板は、場所的に取付スペ−スが限られ剛性が不充分な構成になるから、回転駆動に伴って土壌の抵抗を受け変形したり、大きく曲がって推進機能を損なう等の課題があった。【解決手段】そこで、本発明の場合、車軸耕耘作業機８の車輪取付軸５に取り付ける耕耘装置６は、それぞれ耕耘爪６ａを装着した内側爪ホルダ−９と外側爪ホルダ−１０とを連結して構成し、該外側爪ホルダ−１０は、前記内側爪ホルダ−９に近い位置の軸部１０ａに放射状に配置した推進板１１を取り付けて設け、該推進板１１は、その内側縁１１ａを、正面視において前記内側爪ホルダ−９の爪取付用ボルト・ナット１２と重合させ、しかも、回転方向において爪取付用ボルト・ナット１２の前側に位置する構成とした車軸耕耘作業機としている。【選択図】　　　　図１
2004024096.tif 000002
【特許請求の範囲】
【請求項１】
エンジン１と伝動ミッション装置２は、伝動可能に連結して車体フレ−ム３上に搭載して設け、該車体フレ−ム３から下側に延長して設けた伝動ケ−ス４は、前記伝動ミッション装置２から回転動力が伝動されて下部両側に設けた車輪取付軸５を駆動する構成とし、該車輪取付軸５は、耕耘装置６と車輪７とを交換自由に取り付けできる車軸耕耘作業機８を構成し、前記耕耘装置６は、耕耘爪６ａを装着して前記車輪取付軸５に連結した内側爪ホルダ−９と、該内側爪ホルダ−９に、耕耘爪６ａを装着した外側爪ホルダ−１０を連結して構成し、該外側爪ホルダ−１０は、前記内側爪ホルダ−９に近い位置の軸部１０ａに放射状に配置した推進板１１を取り付けて設け、該推進板１１は、その内側縁１１ａを、正面視において前記内側爪ホルダ−９の爪取付用ボルト・ナット１２と重合させ、しかも、回転方向において爪取付用ボルト・ナット１２の前側に位置する構成とした車軸耕耘作業機。
【請求項２】
エンジン１と伝動ミッション装置２は、伝動可能に連結して車体フレ−ム３上に搭載して設け、該車体フレ−ム３から下側に延長して設けた伝動ケ−ス４は、前記伝動ミッション装置２から回転動力が伝動されて下部両側に設けた車輪取付軸５を駆動する構成とし、該車輪取付軸５は、耕耘装置６と車輪７とを交換自由に取り付けできる車軸耕耘作業機８を構成し、前記車輪７は、外周の取付リング１３に、畦の法面に合った形状に湾曲した法面切削・除草刃１４と、推進ラグ１５とを交互に装着して構成した車軸耕耘作業機。
【発明の詳細な説明】
【０００１】
【発明の属する技術分野】
本発明は、車軸耕耘作業機に関するもので、農業機械の技術分野に属する。
【０００２】
【従来の技術】
従来から車軸耕耘作業機は、車体フレ−ムから下側に延長した伝動ケ−スの両側に車輪取付軸を軸架し、この取付軸に、車輪とロ−タリ耕耘装置とを交互に付替て車輪によって路上走行や牽引による圃場作業が可能であり、又、ロ−タリ耕耘装置による耕耘作業を行なう構成の小型農機として広く普及している。
【０００３】
【発明が解決しようとする課題】
従来から車軸耕耘作業機の耕耘装置は、伝動ケ−スの側部に突出した取付軸に耕耘爪を装着した爪ホルダ−を、順次取り付けて必要な耕耘幅に組み立てる構成としている。この場合、耕耘装置は、まず、取付軸に耕耘爪を取り付けた内側爪ホルダ−を取り付け、その内側爪ホルダ−に、同様に耕耘爪を取り付けた外側爪ホルダ−を連結して圃場の耕耘幅に合わせた構成とする。そして、通常、推進板は、外側爪ホルダ−の軸部に放射状に取り付けて回転駆動しながら表土に接触して推進力を発揮して車体フレ−ムを前進させる構成としている。
【０００４】
しかしながら、上記推進板は、回転駆動に伴って土壌の抵抗を受けて変形したり、大きく曲がって推進機能を損なう形状に変形する課題があった。
そして、従来から、この種の車軸耕耘作業機は、中耕、除草作業をする場合、中耕刃が土中に深く打ち込まれて作物の根を傷めたり、又、狭い溝内を走行する必要から、狭いトレッドにしているために走行時の安定性を欠ぎ、車体が転倒する等の課題があった。
【０００５】
【課題を解決するための手段】
本発明は、上述した課題を解決するために、次の如き技術手段を講ずるものである。まず、請求項１の発明は、エンジン１と伝動ミッション装置２は、伝動可能に連結して車体フレ−ム３上に搭載して設け、該車体フレ−ム３から下側に延長して設けた伝動ケ−ス４は、前記伝動ミッション装置２から回転動力が伝動されて下部両側に設けた車輪取付軸５を駆動する構成とし、該車輪取付軸５は、耕耘装置６と車輪７とを交換自由に取り付けできる車軸耕耘作業機８を構成し、前記耕耘装置６は、耕耘爪６ａを装着して前記車輪取付軸５に連結した内側爪ホルダ−９と、該内側爪ホルダ−９に、耕耘爪６ａを装着した外側爪ホルダ−１０を連結して構成し、該外側爪ホルダ−１０は、前記内側爪ホルダ−９に近い位置の軸部１０ａに放射状に配置した推進板１１を取り付けて設け、該推進板１１は、その内側縁１１ａを、正面視において前記内側爪ホルダ−９の爪取付用ボルト・ナット１２と重合させ、しかも、回転方向において爪取付用ボルト・ナット１２の前側に位置する構成とした車軸耕耘作業機であって、推進板は、耕耘作業中に．は圃場の土壌表面に食い込むごとく接触して回転駆動しながら車体側に推進力を与えることができる。そして、推進板は、土壌の抵抗を受けて変形し、後方側に曲がると、回転方向の後側に重合した状態に配置されている爪取付用ボルト・ナットに接当して受け止められ、それ以上変形するのが防止される。そのため、推進板は、多少変形しても本来の推進機能を発揮し続けることができるものとなっている。
【０００６】
つぎに、請求項２の発明は、エンジン１と伝動ミッション装置２は、伝動可能に連結して車体フレ−ム３上に搭載して設け、該車体フレ−ム３から下側に延長して設けた伝動ケ−ス４は、前記伝動ミッション装置２から回転動力が伝動されて下部両側に設けた車輪取付軸５を駆動する構成とし、該車輪取付軸５は、耕耘装置６と車輪７とを交換自由に取り付けできる車軸耕耘作業機８を構成し、前記車輪７は、外周の取付リング１３に、畦の法面に合った形状に湾曲した法面切削・除草刃１４と、推進ラグ１５とを交互に装着して構成した車軸耕耘作業機であって、本案に係る車輪は、主要部をなす法面切削・除草刃を畦の法面に合わせて湾曲した形状に形成しているから、作業中に土中に打ち込まれることなく畦の表面に作用して切削や除草ができる。したがって、切削・除草刃は、作物の根部に損傷を与える心配はない。そして、本案に係る車輪は、もともと小型であり狭い溝内を走行するためにトレッドを狭くしているが、左右両側の畦の法面に沿って法面切削・除草刃が転動して支えられるから、車体の左右へのふらつきが少なく、安定した走行が期待できる。
【０００７】
【発明の効果】
まず、請求項１の発明は、推進板が耕耘作業中に圃場の土壌表面に食い込むように接触して回転駆動して車体側に推進力を与えることができるものであって、この推進板は、土壌の抵抗によって多少変形して後方側に曲がることがあっても、回転方向の後側に配置されている爪取付用ボルト・ナットに接当して受け止められる。したがって、推進板は、場所的に充分な取付スペ−スがなく剛性が若干不足しているが、上述した以上に変形を受けることはなくなり、本来の推進機能を発揮し続けることができる特徴がある。
【０００８】
そして、請求項２の発明は、畦の法面に合わせて湾曲した形状の法面切削・除草刃を主要部とする車輪であるから、作業中に土中に打ち込まれて作物の根部に損傷を与えることなく、畦の表面土壌に作用して適確に切削し、除草することができる特徴がある。そして、本案に係る車輪は、狭いトレッドでありながら、左右両側の畦の法面に支えられながら転動するから、車体の左右へのふらつきが少なく、安定した走行ができる優れた効果を有する。
【０００９】
【発明の実施の形態】
以下、本発明の実施の形態を図面に基づいて具体的に説明する。
まず、車体フレ−ム３は、図３、及び図４に示すように、前部にエンジン１を搭載し、その後方に伝動ミッション装置２を配置して設け、これら両装置１、２を図示省略した伝動装置によって伝動可能に連結して構成している。そして、上記伝動装置には、図示は省略したがテンションクラッチ装置が設けられ、後部のハンドル１７に設けたクラッチレバ−１８によって入・切操作可能に構成している。
【００１０】
そして、伝動ケ−ス４は、図３、及び図４に示すように、下部の左右両側に車輪取付軸５を突出させて設け、上部を前記伝動ミッション装置２に連結して一体構成とし下方に延長して構成している。
以上のように構成した車軸耕耘作業機８は、図１、乃至図４に示すように、上記車輪取付軸５に耕耘装置６と車輪７とを交換自由に取り付けできる構成としている。
【００１１】
つぎに、上記車輪取付軸５に着脱自由に取り付ける耕耘装置６について説明する。
まず、耕耘装置６は、図１に示すように、前記車輪取付軸５に外側から差し込んで嵌合・連結する内側爪ホルダ−９と、該内側爪ホルダ−９に外側から連結した外側爪ホルダ−１０とから構成している。そして、内側爪ホルダ−９は、図面に示すように、角軸とした前記車輪取付軸５に外側から差し込んで嵌合・連結する角チュ−ブの連結筒１９とその外周を覆う保護筒２０とを爪取付板２１に一体に連結し、更に、外側に連結軸２２を前記連結筒１９と一体にして外側に延長して構成している。そして、耕耘爪６ａは、図１に示すように、前記爪取付板２１に内向き爪６ａと外向き爪６ａとを合わせて共締にして爪取付用ボルト・ナット１２によって締め付け固定して取り付けた構成としている。この場合、爪取付用ボルト・ナット１２は、後述するように、推進板１１側に伸ばして推進板１１の内側縁１１ａと重合（正面視において）する構成としている。なお、２３は係止ピンを示す。
【００１２】
そして、外側爪ホルダ−１０は、図１に示すように、上記内側爪ホルダ−９の外側に連結するが、前記連結軸２２に外側から差し込んで連結する連結筒２４を外方に延長し、外側に寄った位置に爪取付板２５を設けて構成している。そして、耕耘爪６ａは、図１に示すように、前記爪取付板２５の両外側に内向き爪６ａと外向き爪６ａとを重ね合わせて爪取付用ボルト・ナット２６によって締め付け固定した構成としている。２７は回転板であって、前記連結筒２４の外側端部に連結して設けている。２８、及び２９は係止ピンを示す。
【００１３】
そして、推進板１１は、図１に示すように、外側爪ホルダ−１０の連結筒２４（軸部１０ａ）に取り付けるが、実施例の場合、前記内側爪ホルダ−９の爪取り付け板２１に近い位置の放射状に配置した取り付けて構成している。実施例の場合、推進板１１は、連結筒２４（軸部１０ａ）の外周面に溶接によって固着している。そして、推進板１１は、その内側縁１１ａを、正面視において前記内側爪ホルダ−９の爪取付け板２１に耕耘爪６ａを取り付けた爪取付用ボルト・ナット１２と重合させ、しかも、回転方向においてその爪取付用ボルト・ナット１２の前側に位置するように配置して構成している。
【００１４】
したがって、推進板１１は、作業中に回転駆動されているとき、圃場の土壌抵抗を受けて変形して後方側に曲がることがあっても、回転方向の後側に配置され重合している爪取付用ボルト・ナット１２に接当して受け止められる構成としている。
【００１５】
つぎに、前記車輪取付軸５に着脱自由に取り付ける車輪７について説明する。まず、車輪７は、図２に示すように、前記した伝動ケ−ス４の下部両側にある車輪取付軸５に外側から差し込み嵌合する角チュ−ブのボス３０に基部を固着した取付ア−ム３１を放射方向に延長して外端部に取付リング１３を連結して構成している。実施例として示すボス３０は、図２に示すように、畦幅に合わせるためにオフセット用の調節孔３２を設けている。
【００１６】
そして、上記取付リング１３には、つぎに説明する法面切削・除草刃１４と推進ラグ１５とを、図２に示すように、交互に配置して固着した構成としている。そして、法面切削・除草刃１４は、図２に示すように、畦の法面に合わせて湾曲した形状に形成し、取付リング１３の回転に伴って傾斜面の土壌表面に作用して表層を削り取ることができる構成としている。この場合、法面切削・除草刃１４は、畦上に成育している作物の根部に損傷を与えるほど土中深く入ることはない。
【００１７】
つぎに、推進ラグ１５は、取付リング１３の外周から外側に突出して設け、取付リング１３の回転方向に対して後退角を保持し、回転に伴って溝の表面に作用して推進力を発揮する構成としている。
以上のように構成した耕耘装置６と法面切削・除草刃１４を有する車輪７との作用を説明する。
【００１８】
まず、耕耘装置６は、圃場の耕耘作業を行なう場合には、車輪７に代えて、図１に示すように、車輪取付軸５に内側爪ホルダ−９を取り付け、更にその外側に外側爪ホルダ−１０を取り付けて耕耘爪６ａによる所定の耕耘幅にして作業を行なう。
【００１９】
この場合、耕耘装置６は、内側爪ホルダ−９の爪取付板２１と外側爪ホルダ−１０の爪取付板２５にそれぞれ取り付けられている耕耘爪６ａからなっており、その耕耘幅内の耕耘作用を行なう。そのとき、推進板１１は、回転に伴って圃場の土壌表面に食い込むごとく接触して回転駆動しながら推進力を発揮して車体フレ−ム３を前進させる。このように連続した耕耘作業中に、推進板１１は、土壌の抵抗を受けて変形し、後方側に曲がると、回転方向の後側に重合した状態に配置されている爪取付用ボルト・ナット１２に当たって受け止められ、それ以上後方側への変形が防止され、本来の推進機能を発揮し続けることができるものとなっている。
【００２０】
従来から、推進板１１は、取付場所が充分にとれない位置に中心側のみ溶接して取り付けるので、強度不足で剛性面に課題があるが、上述のごとく構成すれば変形を受けても最小にとどめて、推進機能を大きく落とすことがない。
つぎに、車輪７は、図４に示すように、車軸耕耘作業機８に取り付けて圃場の畦の中耕・除草をする場合について述べる。
【００２１】
まず、車軸耕耘作業機８は、車輪７を畦の間を走行させながら作業を開始すると、法面切削・除草刃１４が、図４に示すように、回転に伴って畦の法面上の土壌を切削しながら進んで中耕と、併せて除草を行なう。この場合、切削・除草刃１４は、畦の傾斜形状に合わせてあるから表層の土壌を削りながら、回転して前進するものであって、畦（作土）の内部まで刃縁が打ち込むことはないから、作物の根部に損傷を与える心配はない。
【００２２】
そして、本案に係る車輪７は、もともと小型であり狭い溝内を走行するためにトレッドを狭くしているが、左右両側の畦の法面に沿って法面切削・除草刃１４が転動して支えられるから、車体フレ−ム３の左右へのふらつきが少なく、安定した走行ができるものとなっている。
【００２３】
そして、実施例の場合、車輪７は、図２に示すように、ボス３０に数個の調節孔３２を設けているから、これを利用して畦幅に合わせて移動調節してオフセットし作業ができる。
別実施例１
つぎに、図５、乃至図７に基づいて別実施例１を説明する。
【００２４】
別実施例１は、培土器に関するものであって、樹脂を素材として構成した培土器を改良したものである。
従来から樹脂を素材とした培土器は、耐磨耗性を高めて、長期間の培土作業に耐える強度を確保するために、前縁部のコ−ナ−を大きな円弧形状に形成している。したがって、樹脂製培土器は、図７に示すように、作業中に前縁部のコ−ナ−外側部分に草や、藁屑等が引っ掛かって蓄積され、作業が進むにつれて土の流れが円滑性を欠き、作業中に数回取り除きをしなければならない課題があった。
【００２５】
そこで、別実施例１は、図５、及び図６に示すように、培土器４０の主要な部分を構成している前部の湾曲した主板４１の前端部分４１ａに、上下方向に沿わせて鉄製の主板刃４２を鋳込んで製作したものである。そして、培土器４０は、図５に示すように、上記鉄製の主板刃４２の下端には鉄製の鋤先４３を連続状態にして固着し、これらの後ろ側に接続して樹脂製の側板（培土板）４４を連続させて固着した構成としている。
【００２６】
以上述べたように、別実施例１は、樹脂素材の特性を生かした軽量の培土器４０となり、耐磨耗性が高く、長期間の培土作業に耐える強度を確保することができるものである。そして、別実施例１の培土器４０は、主板４１の前端部分４１ａに、鉄製の主板刃４２を鋳込んでいるから、作業中に前縁部のコ−ナ−外側部分に前側から接触してくる草や、藁屑等が引っ掛かる前に主板刃４２で切断して両側に排出し、引っ掛かりを未然に防止できる特徴がある。
【００２７】
別実施例２
つぎに、図８、乃至図１０に基づいて別実施例２を説明する。
別実施例２は、耕深調節装置に関し、従来の耕深調節用の尾橇に移動走行用の尾輪を着脱する取付孔を設けて、簡単に取り付けする構成としたものである。
【００２８】
従来から、耕耘機は、ロ−タリ−耕耘装置の後方に耕深を調節するために尾橇を設けて耕耘作業をして、農道等を走行するときには尾輪を交換して取り付けていたが、その付替作業が難儀で、特に、高齢者や婦女子には大変な重労働となっている。
【００２９】
別実施例２は、図８に示すように、尾橇４５の橇プレ−ト４５ａに上下貫通した取付孔４６を設け、この取付孔４６に移動走行用尾輪４７の取付軸４８を下側から挿入嵌合してヘアピン４９を差し込んで係止する構成としている。このように、移動走行用尾輪４７は、図８のように取り付けると、全体を概略図で示す図１０のように、ロ−タリ−耕耘装置５０の後方位置にある尾橇４５の橇プレ−ト４５ａに一体となり、尾橇４５の耕深調節ハンドル５１を利用して回転操作すると尾橇４５と共に上下して高さを設定し畦道や農道を走行することができる。
【００３０】
なお、図９において、５２は耕耘機、５３はロ−タリ−カバ−を示す。
以上述べたように、別実施例２は、ロ−タリ−耕耘装置５０の後方に位置する尾橇４５の橇プレ−ト４５ａに設けた取付孔４６に、取付軸４８を差し込み係止ピン４９によって尾輪４７を固定することにより、重い尾橇４５の取外しをしないで移動走行用尾輪４７の取り付けができる特徴がある。
【００３１】
別実施例２に係る装置は、尾橇４５を外さないで尾輪４７が簡単に取り付けられるから、最近、高齢者や婦女子が多い農家にとって、大変重宝で喜んで受け入れられる装置となった。そして、移動走行用の尾輪４７は、小型で軽量に製作できるから、比較的簡単に取り扱いができる。
【００３２】
別実施例３
つぎに、図１１、乃至図１３に基づいて別実施例３を説明する。
別実施例３は、ロ−タリ−耕耘装置のロタリ−カバ−に関し、取付用メインカバ−に、ゴム垂れ付きサブカバ−と鉄板製回動式地均し板付きサブカバ−とを付替自由に構成して作業に応じて交換して付替えて作業を行なうものである。
【００３３】
一般に、ロ−タリ−耕耘カバ−は、一方のゴム垂れ付きカバ−は後方への土の流れが良いために、畦立て作業時に有効であり、他方の鉄板製回動式地均し板付きカバ−は整地性に優れ、耕耘後の土壌表面を平らに均すのに適している。
別実施例３は、上記ゴム垂れ付きカバ−と鉄板製回動式地均し板付きカバ−とをサブロ−タリカバ−に構成して、取付用メインカバ−に作業に応じて付替て使用する装置を提供するものである。
【００３４】
まず、取付用メインカバ−５５は、図面から解るように、耕耘軸５６を軸着したチエンケ−ス５７側の上部に固着した取付機枠５８に蝶番５９を介して上下開閉自由に連結して構成している。そして、取付用メインカバ−５５は、上面に２つの取付用長孔６０を横向きに設け、つぎに述べるサブロ−タリカバ−６１、６２を左右調節自由に取り付ける構成としている。
【００３５】
そして、ゴム垂れ付きサブロ−タリカバ−６１は、図１２に示すように、ゴム垂れ６３を背後に垂らして設け、前記取付用長孔６０に下側から差し込んで取り付ける取付固定ピン６４を上面に設けて構成している。
つぎに、鉄板製回動式地均し板付きサブロ−タリカバ−６２は、図１３に示すように、カバ−側面にピン６５により回動自由に地均し板６６を枢着し、前記取付用長孔６０に下側から差し込んで取り付ける取付固定ピン６４を上面に設けて構成している。そして、鉄板製回動式地均し板付きサブロ−タリカバ−６２は、図面では省略しているが、地均し板６６をチエンケ−ス５７を挟んで向側のサブロ−タリカバ−の地均し板に連結して土壌表面上を滑りながら移動する構成としている。
【００３６】
以上述べたように、別実施例３は、それぞれ特徴を有するゴム垂れ付きサブロ−タリカバ−６１と、鉄板製回動式地均し板付きサブロ−タリカバ−６２とを作業に応じて交換して付替て使用しできる。したがって、別実施例３は、畦立て作業時にはゴム垂れ付きサブロ−タリカバ−６１を使用して後方への土の流れを良好にして効果的に作業を行い、耕耘後の土壌表面を均平に均す場合には、鉄板製回動式地均し板付きサブロ−タリカバ−６２を使用して整地することができる特徴がある。
【図面の簡単な説明】
【図１】本発明の実施例であって、正断面図である。
【図２】本発明の実施例であって、斜面図である。
【図３】本発明の実施例であって、斜面図である。
【図４】本発明の実施例であって、正面図である。
【図５】本発明の別実施例１であって、側面図である。
【図６】本発明の別実施例１であって、図５のＳ−Ｓ線断面図である。
【図７】本発明の別実施例１であって、従来型の平断面図である。
【図８】本発明の別実施例２であって、その要部を示す斜面図である。
【図９】本発明の別実施例２であって、斜面図である。
【図１０】本発明の別実施例２であって、概略の側面図である。
【図１１】本発明の別実施例３であって、組立て状態の斜面図である。
【図１２】本発明の別実施例３であって、分解状態の斜面図である。
【図１３】本発明の別実施例３であって、分解状態の斜面図である。
【符号の説明】
１　　エンジン　　　　　　　　２　　伝動ミッション装置
３　　車体フレ−ム　　　　　　４　　伝動ケ−ス
５　　車輪取付軸　　　　　　　６　　耕耘装置
６ａ　耕耘爪　　　　　　　　　７　　車輪
８　　車軸耕耘作業機　　　　　９　　内側爪ホルダ−
１０　外側爪ホルダ−　　　　　１０ａ　軸部
１１　推進板　　　　　　　　　１２　爪取付用ボルト・ナット
１３　取付リング　　　　　　　１４　法面切削・除草刃
１５　推進ラグ。
【図１】
2004024096.tif 000003
【図２】
2004024096.tif 000004
【図３】
2004024096.tif 000005
【図４】
2004024096.tif 000006
【図５】
2004024096.tif 000007
【図６】
2004024096.tif 000008
【図７】
2004024096.tif 000009
【図８】
2004024096.tif 000010
【図９】
2004024096.tif 000011
【図１０】
2004024096.tif 000012
【図１１】
2004024096.tif 000013
【図１２】
2004024096.tif 000014
【図１３】
2004024096.tif 000015